(57)【特許請求の範囲】
【請求項１】
デジタル放送を受信するテレビ受信装置との間でデータや指令の送受信を行う通信制御手段と、
特定の撮像指令に応じて光学手段から得られる写像を撮影して撮影画像を出力する撮像手段と、
前記特定の撮像指令に応じてテレビ受信装置に対して現在表示されている番組の登録指令を前記通信制御手段によって送信する登録指示手段と、
前記登録指令に応答した前記テレビ受信装置から固有の識別データを前記通信制御手段によって受信したときは、当該識別データを前記撮像手段から出力された撮影画像に対応させて記憶手段に記憶する記憶制御手段と、
前記記憶手段に記憶されている任意の撮影画像に対する選択指令に応じて当該撮影画像に対応する識別データおよび表示指令を前記通信制御手段によってテレビ受信装置に送信して当該撮影画像に関する番組の表示を要求する表示要求手段と、
を備えた携帯端末装置。
【請求項２】
前記表示要求手段は、選択指令に応じて前記記憶手段に記憶されている複数の撮影画像を表示手段に一覧表示し、当該表示された撮影画像の中から任意の撮影画像が選択された場合に、当該撮影画像に対応する識別データをテレビ受信装置に送信することを特徴とする請求項１に記載の携帯端末装置。
【請求項３】
前記表示要求手段は、前記登録指示手段によって登録指令が送信されたテレビ受信装置に対して撮影画像に関する番組の表示を要求することを特徴とする請求項１に記載の携帯端末装置。
【請求項４】
前記表示指示手段は、前記登録指示手段によって登録指令が送信されたテレビ受信装置から受信した識別データによってデジタル放送の番組を特定可能な任意のテレビ受信装置に対して撮影画像に関する番組の表示を要求することを特徴とする請求項１に記載の携帯端末装置。
【請求項５】
携帯端末装置とデジタル放送を受信するテレビ受信装置との間でデータや指令を送受信してデジタル放送の番組の表示を制御する番組表示制御方法であって、
携帯端末装置は、特定の撮像指令に応じて光学手段から得られる写像を撮像手段で撮影して撮影画像を出力するとともに、デジタル放送を受信するテレビ受信装置に対して登録指令を送信し、
前記テレビ受信装置は、携帯端末装置から登録指令を受信したときは、現在受信中のデジタル放送の番組に対応した固有の識別データを当該携帯端末装置に送信し、
前記携帯端末装置は、前記テレビ受信装置から受信した識別データと前記撮像手段から出力された撮影画像とを対応させて記憶手段に記憶し、当該記憶手段に記憶されている任意の撮影画像に対する選択指令に応じて当該撮影画像に対応する識別データをテレビ受信装置に送信して当該撮影画像に関する番組の表示を要求し、
前記テレビ受信装置は、前記携帯端末装置から識別データを受信して番組の表示を要求されたときは、当該識別データによって特定される番組を表示する
ことを特徴とする番組表示制御方法。
【請求項６】
前記携帯端末装置は、選択指令に応じて前記記憶手段に記憶されている複数の撮影画像を表示手段に一覧表示し、当該表示された撮影画像の中から任意の撮影画像が選択された場合に、当該撮影画像に対応する識別データをテレビ受信装置に送信することを特徴とする請求項５に記載の番組表示制御方法。
【請求項７】
前記テレビ受信装置は、前記固有の識別データを生成して携帯端末装置に送信することを特徴とする請求項５に記載の番組表示制御方法。
【請求項８】
前記テレビ受信装置は、前記固有の識別データをデジタル放送から取得して携帯端末装置に送信することを特徴とする請求項５に記載の番組表示制御方法。
【発明の詳細な説明】
【技術分野】
【０００１】
本発明は、携帯端末装置、テレビ受信装置、および番組表示制御方法に関し、特に、カメラ付き携帯端末装置、デジタル放送を受信するテレビ受信装置、および、携帯端末装置とテレビ受信装置とによって実行される番組表示制御方法に関する。
【背景技術】
【０００２】
現在、放送衛星および通信衛星を介してＢＳデジタル放送およびＣＳデジタル放送が行われているが、２００３年１２月から一部の地域で放送が行われている地上波デジタル放送は、２０１１年には現在放送されているアナログ放送は全国的にデジタル放送に切り換えられることになっている。この地上波デジタル放送は、６ＭＨｚの帯域を１３セグメントに分割して放送する。さらに、１３セグメントの中の１セグメントによって携帯電話装置などの移動体に対する放送も予定されている。
【０００３】
衛星を利用したデジタル放送を携帯電話機で受信して、ＵＲＬ情報を取得するための提案が、下記の特許文献１においてなされている。この提案によれば、デジタル放送のＣＭ等の放送関連情報のうち見たいもののみを携帯電話機で選択し、パソコン等のネットワーク接続機器で簡単に再現することができるようになっている。このために、携帯電話機は、衛星デジタル放送網を通じてデジタルＴＶ放送を受信してＣＭに関連したＵＲＬ情報を抽出し、携帯電話機内部の記憶部に記憶する。携帯電話機のクレードルはインターネットと接続可能なパソコンと接続されており、クレードルに携帯電話機を装着すると、記憶部に記憶されているデータをパソコン内部の記憶部に転送する。パソコンは、受信したＵＲＬ情報をブックマーク等に登録する。ユーザは、登録されたＵＲＬ情報を選択してインターネットを介してＣＭ情報データベースにアクセスできる。
【０００４】
また、下記の特許文献２においては、文字や映像などでテレビジョンシステムのモニタに表示された主情報に対してさらに詳しい情報を得るために、ＵＲＬや電子メールアドレスのデータが２次元のドットコードに変換されて電光表示パネルなどに表示された副情報を携帯電話機で取得する提案がなされている。この提案によれば、表示された多次元ドットコードの画像を携帯電話機のカメラ部で撮像し、その撮像した画像をデコーダ部によって元のＵＲＬや電子メールアドレスのデータに逆変換して表示する。
【特許文献１】特開２００５−２０３４５号公報
【特許文献２】特開２００５−３８１８１号公報
【発明の開示】
【発明が解決しようとする課題】
【０００５】
しかしながら、上記特許文献１の場合には、デジタル放送を受信するチューナなどのテレビ受信回路を備えた高価な携帯電話装置が必要である上、テレビ受信回路の大きな消費電力によって内蔵バッテリの電圧低下が問題になる。
また、上記特許文献２の場合、２次元のドットコードの画像を様々な環境で撮像して、元のＵＲＬや電子メールアドレスのデータに逆変換するための技術は極めて高度であるので、そのようなデコーダ部を携帯電話装置の中に組み込むことは、製造技術的および価格的に困難であるという問題がある。
本発明は、このような従来の課題を解決するためのものであり、デジタル放送を受信する機能を持つ携帯電話装置を要することなく、広く普及しているカメラ付きの携帯電話装置などの撮像機能を有する携帯端末装置によって撮像した画像に基づいて、デジタル放送の番組に関する情報を正確に認識して、その情報をテレビ受信装置に表示することを目的とする。
【課題を解決するための手段】
【０００６】
請求項１に記載の携帯端末装置は、デジタル放送を受信するテレビ受信装置との間でデータや指令の送受信を行う通信制御手段（実施形態においては、図１の通信制御部１１８に相当する）と、特定の撮像指令に応じて光学手段から得られる写像を撮影して撮影画像を出力する撮像手段（実施形態においては、図１のＣＣＤ１０１に相当する）と、特定の撮像指令に応じてテレビ受信装置に対して現在表示されている番組の登録指令を通信制御手段によって送信する登録指示手段（実施形態においては、図１のＣＰＵ１０６に相当する）と、登録指令に応答したテレビ受信装置から固有の識別データ（第１実施形態においてはＩＤに相当し、第２実施形態においてはＵＲＩに相当する）を通信制御手段によって受信したときは、当該識別データを撮像手段から出力された撮影画像に対応させて記憶手段（実施形態においては、図１のフラッシュメモリ１０９に相当する）に記憶する記憶制御手段（実施形態においては、図１のＣＰＵ１０６に相当する）と、記憶手段に記憶されている任意の撮影画像に対する選択指令に応じて当該撮影画像に対応する識別データおよび表示指令を通信制御手段によってテレビ受信装置に送信して当該撮影画像に関する番組の表示を要求する表示要求手段（実施形態においては、図１のＣＰＵ１０６に相当する）と、を備えた構成になっている。
【０００７】
請求項１の携帯端末装置において、請求項２に記載したように、表示要求手段は、選択指令に応じて記憶手段に記憶されている複数の撮影画像を表示手段（実施形態においては、図１のＬＣＤ１１７に相当する）に一覧表示し、当該表示された撮影画像の中から任意の撮影画像が選択された場合に、当該撮影画像に対応する識別データをテレビ受信装置に送信するような構成にしてもよい。
【０００８】
請求項１の携帯端末装置において、請求項３に記載したように、表示要求手段は、登録指示手段によって登録指令が送信されたテレビ受信装置に対して撮影画像に関する番組の表示を要求するような構成にしてもよい。
【０００９】
請求項１の携帯端末装置において、請求項４に記載したように、表示指示手段は、登録指示手段によって登録指令が送信されたテレビ受信装置から受信した識別データによってデジタル放送の番組を特定可能な任意のテレビ受信装置に対して撮影画像に関する番組の表示を要求するような構成にしてもよい。
【００１３】
請求項５に記載の番組表示制御方法は、携帯端末装置とデジタル放送を受信するテレビ受信装置との間でデータや指令を送受信してデジタル放送の番組の表示を制御する方法であり、
携帯端末装置は、特定の撮像指令に応じて光学手段から得られる写像を撮像手段（実施形態においては、図１のＣＣＤ１０１に相当する）で撮影して撮影画像を出力するとともに、デジタル放送を受信するテレビ受信装置に対して登録指令を送信し、
テレビ受信装置は、携帯端末装置から登録指令を受信したときは、現在受信中のデジタル放送の番組に対応した固有の識別データ（第１実施形態においてはＩＤに相当し、第２実施形態においてはＵＲＩに相当する）を当該携帯端末装置に送信し、
携帯端末装置は、テレビ受信装置から受信した識別データと撮像手段から出力された撮影画像とを対応させて記憶手段（実施形態においては、図１のフラッシュメモリ１０９に相当する）に記憶し、当該記憶手段に記憶されている任意の撮影画像に対する選択指令に応じて当該撮影画像に対応する識別データをテレビ受信装置に送信して当該撮影画像に関する番組の表示を要求し、
テレビ受信装置は、携帯端末装置から識別データを受信して番組の表示を要求されたときは、当該識別データによって特定される番組を表示するような構成になっている。
【００１４】
請求項５の番組表示制御方法において、請求項６に記載したように、携帯端末装置は、選択指令に応じて記憶手段に記憶されている複数の撮影画像を表示手段（実施形態においては、図１のＬＣＤ１１７に相当する）に一覧表示し、当該表示された撮影画像の中から任意の撮影画像が選択された場合に、当該撮影画像に対応する識別データをテレビ受信装置に送信するような構成にしてもよい。
請求項５の番組表示制御方法において、請求項７に記載したように、テレビ受信装置は、固有の識別データ（第１実施形態におけるＩＤに相当する）を生成して携帯端末装置に送信するような構成にしてもよい。
あるいは、請求項５の番組表示制御方法において、請求項８に記載したように、テレビ受信装置は、固有の識別データ（第２実施形態におけるＵＲＩに相当する）をデジタル放送から取得して携帯端末装置に送信するような構成にしてもよい。
【発明の効果】
【００１５】
本発明の携帯端末装置、テレビ受信装置、および番組表示制御方法によれば、デジタル放送を受信する機能を持つ携帯電話装置を要することなく、広く普及しているカメラ付きの携帯電話装置などの撮像機能を有する携帯端末装置によって撮像した画像に基づいて、デジタル放送の番組に関する情報を正確に認識して、その情報をテレビ受信装置に表示するという効果が得られる。
【発明を実施するための最良の形態】
【００１６】
以下、本発明による携帯端末装置、テレビ受信装置、および番組表示制御方法の第１実施形態および第２実施形態について、図１ないし図９を参照して説明する。
図１は、本発明の携帯端末装置の第１および第２実施形態であるカメラ付き携帯電話装置の構成を示すブロック図である。図１において、ＣＣＤ１０１は、撮像レンズなどの光学部（図示せず）で結像した被写体の映像を受光し、光電変換作用によって画像信号に変換して出力する。アンプ１０２は、ＣＣＤ１０１から出力された画像信号を増幅して出力する。Ａ／Ｄ変換回路１０３は、アンプ１０２から出力された画像信号をアナログからデジタルに変換して出力する。駆動回路１０４は、ＣＣＤ１０１を駆動するための駆動信号を出力する。タイミングジェネレータ１０５は、Ａ／Ｄ変換回路１０３から出力された画像信号を所定のデータフォーマットにして出力するとともに、駆動回路１０４に対して駆動信号の元となるパルス信号を出力する。
【００１７】
ＣＰＵ１０６は、この携帯電話装置を制御する中央処理ユニットであり、タイミングジェネレータ１０５から出力された画像信号をＤＲＡＭ１０７に一時的に記憶するとともに、圧縮／伸長回路１０８によって画像信号の圧縮処理や伸長処理を行う。すなわち、ＣＰＵ１０６は、ＤＲＡＭ１０７に記憶された画像信号に対して、輝度信号と色信号との分離処理を行うとともに、圧縮／伸長回路１０８によって圧縮処理を行って不揮発性メモリであるフラッシュメモリ１０９に記憶し、フラッシュメモリ１０９から読み出した画像信号を圧縮／伸長回路１０８によって伸長処理を行う。ＣＰＵ１０６のポートには、制御プログラムおよび初期データをあらかじめ記憶しているＲＯＭ１１０、処理するデータや指令を一時的に記憶するワークエリアであるＲＡＭ１１１、操作に応じて種々の指令やデータを入力するスイッチを有するキー入力部１１２が接続されている。
【００１８】
ＣＰＵ１０６は、フラッシュメモリ１０９に記憶された画像信号に対して伸長処理を行ってシグナルジェネレータ１１３に転送する。シグナルジェネレータ１１３は、その画像信号をＶＲＡＭ１４によって１画面のフレームに展開してＤ／Ａ変換回路１１５に出力する。Ｄ／Ａ変換回路１１５は、その展開された画像信号をデジタルからアナログに変換して出力する。ＬＣＤドライバ１１６は、Ｄ／Ａ変換回路１１５から出力された画像信号をＬＣＤ１１７に出力して表示させる。
【００１９】
さらに、ＣＰＵ１０６のポートには、無線通信部１１８が接続されている。無線通信部１１８は、赤外線通信やブルートゥース通信などの近距離の無線通信によって、デジタル放送を受信するテレビ受信装置やパソコンとの間で、本発明の特徴的なデータや指令を送受信する。例えば、ブックマーク登録指令をテレビ受信装置に送信する。ブックマークとは、インターネットのｗｗｗブラウザで、ユーザが希望するサイトや頻繁にアクセスするページを登録する機能である。そのほかに、テレビ受信装置の電源のオン・オフやチャンネル選択などの一般的な指令を発信することもできる。
【００２０】
図２は、デジタル放送を受信するとともに、図１の携帯電話装置との間でデータや指令を送受信するテレビ受信装置の構成を示すブロック図である。図２において、アンテナ２０１は、地上波デジタル放送の電波を受信してこのテレビ受信装置に入力する。チューナユニット２０２は、アンテナ２０１から入力された電波の中から、指定されたチャンネルの放送局の電波を選択して復調し、時系列に順次パケット化されたデジタル符号化データであるＴＳ（トランスポートストリーム）パケットを出力する。各ＴＳパケットは、ヘッダ部にデータの種別を識別するためのパケット識別子を含んでいる。パケット分離部２０３は、ＴＳパケットのパケット識別子によって、映像信号、音声信号、データ放送信号に分離して出力する。
【００２１】
データ放送デコーダ２０４は、パケット分離部２０３から出力されたデータ放送信号を復号して、データ放送信号から抽出したデータ放送文書ファイルを含む復号データを出力する。その出力されたデータ放送文書ファイルは、データ放送用メモリ２０５に入力される。データ放送用メモリ２０５は、ブックマーク登録メモリ２０６およびＵＲＩメモリ２０７で構成されている。
ブックマーク登録メモリ２０６は、図１の携帯電話装置から受信したブックマーク登録指令に応じて、現在受信中のコンテンツ（番組）のページを記憶する。ＵＲＩメモリ２０７は、現在受信中のコンテンツの情報資源を識別するＵＲＩ（Uniform Resource Identifier）を記憶する。データ放送文書ファイルは、マルチメディア・コンテンツの内容を拡張可能なマークアップ言語であるＸＭＬ（Extensible Markup Language）で記述されているが、マルチメディア・コンテンツにはインターネットを経由した情報を含んでいるので、その情報資源を識別する識別子としてＵＲＩを使用する。ＵＲＩは、ＵＲＬ（Uniform Resource Locator）やＵＲＮ（Uniform Resource Name）を包括した上位概念の識別子である。
【００２２】
演算処理装置２０８は、ＣＰＵ２０９、ＲＯＭ２１０、ＲＡＭ２１１で構成されている。ＣＰＵ２０９は、ＲＯＭ２１０にあらかじめ格納されている制御プログラムに従って、システムバスを介して接続された各部との間で授受するデータをＲＡＭ２１１に一時的にストアしながら、この装置全体を制御する。すなわち、パケット分離部２０３によって分離された映像信号および音声信号を映像音声デコーダ２１２に供給して復号化処理を行い、復号された映像信号を映像表示装置２１３で表示させ、復号された音声信号を音声出力装置２１４で発音させる。また、データ放送デコーダ２０４で復号されたデータ放送信号をデータ表示装置２１５で表示させる。さらに、通信制御部２１６によって、図１の携帯電話装置とデータや指令の送受信を行う。
【００２３】
次に、本発明の第１実施形態および第２実施形態の動作について、図１の携帯電話装置のＣＰＵ１０６、および、図２のテレビ受信装置のＣＰＵ２０９によって実行される図３ないし図７のフローチャート、並びに、図１の携帯電話装置のＬＣＤ１１７に表示される図８および図９の画面に基づいて説明する。
【００２４】
まず、第１実施形態の動作について説明する。
図３は、第１実施形態における携帯電話装置のＣＰＵ１０６のメインルーチンのフローチャートである。所定のイニシャライズ（ステップＳＡ１）の後、ＭＥＮＵ画面をＬＣＤ１１７に表示する（ステップＳＡ２）。図８は、携帯電話装置のＭＥＮＵ画面を示している。図８に示すように、画面には「通常モード」、「ブックマーク登録」、「ブックマークジャンプ」、その他のＭＥＮＵアイコンが表示される。キー入力部１１２のカーソルスイッチによっていずれかのアイコンを選択すると、選択されたアイコンの表示が反転する。図８は、ブックマーク登録が選択された状態を示している。いずれかのアイコンが選択された状態でＯＫスイッチがオンされると、その選択したアイコンの処理に移行する。
【００２５】
図３において、通常モードが選択されたか否かを判別し（ステップＳＡ３）、通常モードが選択されたときは、通常モード処理を実行する（ステップＳＡ４）。この後は、ＭＥＮＵ画面指示がされたか否かを判別し（ステップＳＡ５）、この指示がされたときは、ステップＳＡ２に移行して再びＭＥＮＵ画面を表示する。
ステップＳＡ３において通常モードが選択されない場合には、ブックマーク登録が選択されたか否かを判別し（ステップＳＡ６）、ブックマーク登録が選択されたときは、ブックマーク登録処理を実行する（ステップＳＡ７）。この後は、ＭＥＮＵ画面指示がされたか否かを判別し（ステップＳＡ８）、この指示がされたときは、ステップＳＡ２に移行して再びＭＥＮＵ画面を表示する。
ステップＳＡ６においてブックマーク登録が選択されない場合には、ブックマークジャンプが選択されたか否かを判別し（ステップＳＡ９）、ブックマークジャンプが選択されたときは、ブックマークジャンプ処理を実行する（ステップＳＡ１０）。この後は、ＭＥＮＵ画面指示がされたか否かを判別し（ステップＳＡ１１）、この指示がされたときは、ステップＳＡ２に移行して再びＭＥＮＵ画面を表示する。
ステップＳＡ９においてブックマークジャンプが選択されない場合には、その他の処理を実行して（ステップＳＡ１２）、ステップＳＡ２に移行して再びＭＥＮＵ画面を表示する。
【００２６】
図４は、図３のメインルーチンにおけるステップＳＡ７のブックマーク登録処理で、テレビ受信装置との通信処理を含むフローチャートである。
ユーザは、データ放送を受信中のテレビ受信装置の映像表示装置２１３の画面に携帯電話装置のカメラを向けた状態でキー入力部１１２の撮影スイッチをオンにする。ＣＰＵ１０６は、撮影スイッチがオンされたか否かを判別する（ステップＳＢ１１）。撮影スイッチがオンされたときは、映像表示装置２１３の画面の撮影画像をＤＲＡＭ１０７にストアする（ステップＳＢ１２）。そして、テレビ受信装置に対してブックマーク登録指令を送信する（ステップＳＢ１３）。
【００２７】
テレビ受信装置では、携帯電話装置からブックマーク登録指令を受信したか否かを判別し（ステップＳＣ１１）、ブックマーク登録指令を受信したときは、データ放送を受信中であるか否かを判別する（ステップＳＣ１２）。データ放送を受信中である場合には、ブックマーク登録を行う（ステップＳＣ１３）。すなわち、現在受信中のデータ放送のページをブックマーク登録メモリ２０６にストアする。また、ユニークなＩＤを作成して（ステップＳＣ１４）、作成したＩＤおよびブックマーク完了応答を携帯電話装置に送信する（ステップＳＣ１５）。
【００２８】
携帯電話装置では、テレビ受信装置からＩＤおよびブックマーク完了応答を受信したか否かを判別し（ステップＳＢ１４）、ＩＤおよびブックマーク完了応答を受信したときは、ＤＲＡＭ１０７にストアした撮影画像に受信したＩＤを付加して、フラッシュメモリ１０９に保存する（ステップＳＢ１５）。ＩＤおよびブックマーク完了応答を受信しない場合には、一定時間が経過したか否かを判別し（ステップＳＢ１６）、一定時間が経過しない場合には、ステップＳＢ１４に移行して受信を待つ。一定時間が経過したとき、又は、ＩＤを付加した撮影画像をフラッシュメモリ１０９に保存したときは、ＤＲＡＭ１０７をクリアして（ステップＳＢ１７）、図３のメインルーチンに戻る。
【００２９】
図５は、図３のメインルーチンにおけるステップＳＡ１０のブックマークジャンプ処理で、テレビ受信装置との通信処理を含むフローチャートである。
携帯電話装置は、ブックマークジャンプ処理に遷移すると、フラッシュメモリ１０９に撮影画像のデータがあるか否かを判別する（ステップＳＤ１１）。データがある場合には、撮影画面をサムネイルでＬＣＤ１１７に一覧表示する（ステップＳＤ１２）。図９は、撮影画面の表示例を示している。カーソルスイッチで１つの撮影画像が選択されて、選択された撮影画像（図９では画像１）が強調表示された状態で、ＯＫスイッチがオンされると（ステップＳＤ１３）、その撮影画像に対応するＩＤを取得する（ステップＳＤ１４）。そして、ＩＤおよびブックマークジャンプ指令をテレビ受信装置に対して送信する（ステップＳＤ１５）。
【００３０】
テレビ受信装置は、携帯電話装置からＩＤおよびブックマークジャンプ指令を受信したか否かを判別し（ステップＳＥ１１）、これらを受信したときは、ＩＤで特定されるブックマークデータをブックマーク登録メモリ２０６から取得する（ステップＳＥ１２）。そして、取得したブックマークで指定される番組を映像表示装置２１３に表示する（ステップＳＥ１３）。
【００３１】
以上のように、この第１実施形態によれば、携帯電話装置は、デジタル放送を受信するテレビ受信装置との間でデータや指令の送受信を行う通信制御部１１８、テレビ受信装置の画面を撮影する特定の撮像指令に応じて、レンズ等の光学系から得られる写像を撮影して撮影画像を出力するＣＣＤ１０１、およびＣＰＵ１０６を備えている。ＣＰＵ１０６は、特定の撮像指令に応じてテレビ受信装置に対して現在表示されている番組の登録指令を通信制御部１１８によって送信し、その登録指令に応答したテレビ受信装置から固有のＩＤを通信制御部１１８によって受信したときは、そのＩＤをＣＣＤ１０１から出力された撮影画像に対応させてフラッシュメモリ１０９に記憶し、フラッシュメモリ１０９に記憶されている任意の撮影画像に対する選択指令に応じて、その撮影画像に対応するＩＤおよび表示指令を通信制御部１１８によって、登録指令が送信されたテレビ受信装置に対して送信して、その撮影画像に関する番組の表示を要求する。
一方、テレビ受信装置は、携帯端末装置から登録指令を受信したときは、現在受信中のデジタル放送の番組に対応したＩＤを作成して、携帯端末装置に送信する通信制御部２１６と、通信制御部２１６によって携帯端末装置からＩＤを受信したときは、そのＩＤに対応する番組を映像表示装置２１３に表示するＣＰＵ２０９を備えている。
したがって、デジタル放送を受信する機能を持つ携帯電話装置を要することなく、広く普及しているカメラ付きの携帯電話装置によって撮像した画像に基づいて、デジタル放送の番組に関する情報を正確に認識して、その情報をテレビ受信装置の表示することができる。
【００３２】
また、上記第１実施形態において、ＣＰＵ１０６は、選択指令に応じて、フラッシュメモリ１０９に記憶されている複数の撮影画像をＬＣＤ１１７にサムネイルで一覧表示し、その表示された撮影画像の中から任意の撮影画像が選択された場合に、その撮影画像に対応するＩＤをテレビ受信装置に送信する。
したがって、複数種類の番組を撮影画像によってイメージで識別することにより、デジタル放送の番組に関する情報をより正確に認識することができる。
【００３３】
次に、第２実施形態の動作について説明する。
第２実施形態において、携帯電話装置のＣＰＵ１０６のメインルーチンは、図３に示した第１実施形態の場合と同じであるので、図３を援用して第２実施形態の動作を説明する。図６は、図３のメインルーチンにおけるステップＳＡ７のブックマーク登録処理で、テレビ受信装置との通信処理を含むフローチャートである。
【００３４】
ユーザは、データ放送を受信中のテレビ受信装置の映像表示装置２１３の画面に携帯電話装置のカメラを向けた状態でキー入力部１１２において撮影スイッチをオンにする。ＣＰＵ１０６は、撮影スイッチがオンされたか否かを判別する（ステップＳＢ２１）。撮影スイッチがオンされたときは、映像表示装置２１３の画面の撮影画像をＤＲＡＭ１０７にストアする（ステップＳＢ２２）。そして、テレビ受信装置に対してブックマーク登録指令を送信する（ステップＳＢ２３）。
【００３５】
テレビ受信装置では、携帯電話装置からブックマーク登録指令を受信したか否かを判別し（ステップＳＣ２１）、ブックマーク登録指令を受信したときは、データ放送を受信中であるか否かを判別する（ステップＳＣ２２）。データ放送を受信中である場合には、その受信している放送のＵＲＩを取得してＵＲＩメモリ２０７に記憶し（ステップＳＣ２３）、そのＵＲＩおよびブックマーク完了応答を携帯電話装置に送信する（ステップＳＣ２４）。
【００３６】
携帯電話装置では、テレビ受信装置からＵＲＩおよびブックマーク完了応答を受信したか否かを判別し（ステップＳＢ２４）、ＵＲＩおよびブックマーク完了応答を受信したときは、ＤＲＡＭ１０７にストアした撮影画像に受信したＵＲＩを付加して、フラッシュメモリ１０９に保存する（ステップＳＢ２５）。ＵＲＩおよびブックマーク完了応答を受信しない場合には、一定時間が経過したか否かを判別し（ステップＳＢ２６）、一定時間が経過しない場合には、ステップＳＢ２４に移行して受信を待つ。一定時間が経過したとき、又は、ＵＲＩを付加した撮影画像をフラッシュメモリ１０９に保存したときは、ＤＲＡＭ１０７をクリアして（ステップＳＢ２７）、図３のメインルーチンに戻る。
【００３７】
図７は、図３のメインルーチンにおけるステップＳＡ１０のブックマークジャンプ処理で、テレビ受信装置との通信処理を含むフローチャートである。
携帯電話装置は、ブックマークジャンプ処理に遷移すると、フラッシュメモリ１０９に撮影画像のデータがあるか否かを判別する（ステップＳＤ２１）。データがある場合には、図９に示すように撮影画面をサムネイルでＬＣＤ１１７に一覧表示する（ステップＳＤ２２）。カーソルスイッチで１つの撮影画像が選択されて、選択された撮影画像（図９では画像１）が強調表示された状態で、ＯＫスイッチがオンされると（ステップＳＤ２３）、その撮影画像に対応するＵＲＩを取得する（ステップＳＤ２４）。そして、ＵＲＩおよびブックマークジャンプ指令をテレビ受信装置に対して送信する（ステップＳＤ２５）。
テレビ受信装置は、携帯電話装置からＵＲＩおよびブックマークジャンプ指令を受信したか否かを判別し（ステップＳＥ２１）、これらを受信したときは、ＵＲＩで指定される番組を映像表示装置２１３に表示する（ステップＳＥ２２）。
【００３８】
以上のように、この第２実施形態によれば、携帯電話装置は、デジタル放送を受信するテレビ受信装置との間でデータや指令の送受信を行う通信制御部１１８、テレビ受信装置の画面を撮影する特定の撮像指令に応じて、レンズ等の光学系から得られる写像を撮影して撮影画像を出力するＣＣＤ１０１、およびＣＰＵ１０６を備えている。ＣＰＵ１０６は、特定の撮像指令に応じてテレビ受信装置に対して現在表示されている番組の登録指令を通信制御部１１８によって送信し、その登録指令に応答したテレビ受信装置からＵＲＩを通信制御部１１８によって受信したときは、そのＵＲＩをＣＣＤ１０１から出力された撮影画像に対応させてフラッシュメモリ１０９に記憶し、フラッシュメモリ１０９に記憶されている任意の撮影画像に対する選択指令に応じて、その撮影画像に対応するＵＲＩおよび表示指令を通信制御部１１８によって、登録指令を送信したテレビ受信装置、又は、登録指令を送信したテレビ受信装置から受信したＵＲＩによってデジタル放送の番組を特定可能な他の任意のテレビ受信装置に対して送信して、その撮影画像に関する番組の表示を要求する。
一方、テレビ受信装置は、携帯端末装置から登録指令を受信したときは、現在受信中のデジタル放送の番組に対応したＵＲＩを取得して、携帯端末装置に送信する通信制御部２１６、通信制御部２１６によって携帯端末装置からＵＲＩを受信したときは、そのＵＲＩに対応する番組を映像表示装置２１３に表示するＣＰＵ２０９を備えている。
したがって、第１実施形態と同様に、デジタル放送を受信する機能を持つ携帯電話装置を要することなく、広く普及しているカメラ付きの携帯電話装置によって撮像した画像と、番組に固有でテレビ受信装置に制約されないＵＲＩに基づいて、デジタル放送の番組に関する情報を正確に認識して、ＵＲＩによってデジタル放送の番組を特定可能な任意のテレビ受信装置においてその情報を表示することができる。
【００３９】
また、上記第２実施形態においても、ＣＰＵ１０６は、選択指令に応じて、フラッシュメモリ１０９に記憶されている複数の撮影画像をＬＣＤ１１７にサムネイルで一覧表示し、その表示された撮影画像の中から任意の撮影画像が選択された場合に、その撮影画像に対応するＵＲＩをテレビ受信装置に送信する。
したがって、複数種類の番組を撮影画像によってイメージで識別することにより、デジタル放送の番組に関する情報をより正確に認識することができる。
【００４０】
なお、上記各実施形態においては、携帯電話装置およびテレビ受信装置について装置の発明を説明したが、図３ないし図７のフローチャートに示したように、携帯電話装置およびテレビ受信装置の間でデータや指令を送受信することによって、番組表示方法の発明を構成する。
【００４１】
また、上記各実施形態においては、カメラ付きの携帯電話装置を例にとって本発明の携帯端末装置を説明したが、テレビの画面を撮影できる撮像手段とテレビ受信装置との間でデータや指令を送受信する通信制御手段を備えた携帯端末装置であれば、携帯電話装置に限定されるものではない。例えば、通信制御手段を備えたデジタルカメラ、あるいはカメラおよび表示部を備えたリモコンなどについても本発明の携帯端末装置を構成する。
【図面の簡単な説明】
【００４２】
【図１】本発明の第１および第２実施形態における携帯電話装置のブロック図。
【図２】本発明の第１および第２実施形態におけるテレビ受信装置のブロック図。
【図３】図１の携帯電話装置におけるメインルーチンのフローチャート。
【図４】第１実施形態におけるブックマーク登録処理のフローチャート。
【図５】第１実施形態におけるブックマークジャンプ処理のフローチャート。
【図６】第２実施形態におけるブックマーク登録処理のフローチャート。
【図７】第２実施形態におけるブックマークジャンプ処理のフローチャート。
【図８】携帯電話装置のＬＣＤに表示されたＭＥＮＵ画面を示す図。
【図９】携帯電話装置のＬＣＤに一覧表示された撮像画像を示す図。
【符号の説明】
【００４３】
１０１  ＣＣＤ
１０６  ＣＰＵ
１０７  ＤＲＡＭ
１０９  フラッシュメモリ
１１７  ＬＣＤ
１１８  通信制御部
２０６  ブックマーク登録メモリ
２０７  ＵＲＩメモリ
２０９  ＣＰＵ
２１２  映像表示装置
２１６  通信制御部
【図１】
0004810932.tif 000002
【図２】
0004810932.tif 000003
【図３】
0004810932.tif 000004
【図４】
0004810932.tif 000005
【図５】
0004810932.tif 000006
【図６】
0004810932.tif 000007
【図７】
0004810932.tif 000008
【図８】
0004810932.tif 000009
【図９】
0004810932.tif 000010